(57)【要約】【課題】表示装置のスタンドをバンドで固定する場合において、確実に転倒を防止することのできる表示装置を提供する。【解決手段】表示装置は、表示パネルを有する本体と、前記本体を支持する支持部と台座部とを有するスタンドとを備え、前記台座部の設置面と接する底面の反対側の上面に固定用のバンドを位置決めする溝部を備える。このようにすることによって、表示装置のスタンドを固定用のバンドで固定した場合に確実に表示装置の転倒を防止することができる。【選択図】図１
2012253469.tif 000002
【特許請求の範囲】
【請求項１】
表示パネルを有する本体と、
前記本体を支持する支持部と台座部とを有するスタンドとを備え、
前記台座部の設置面と接する底面の反対側の上面に溝部を有する表示装置。
【請求項２】
前記溝部を複数設けた請求項１に記載した表示装置。
【請求項３】
前記溝部は、前記表示装置を設置面に固定する固定用のバンドを位置決めする溝部である請求項１に記載した表示装置。
【請求項４】
前記溝部の底面は台座部の底面と平行である請求項１に記載した表示装置。
【請求項５】
前記溝の上面からの深さは固定用のバンドの厚さより大きい請求項３に記載した表示装置。
【請求項６】
前記溝部の底面から立ち上がる溝部壁面のうち台座部の外周方向の壁面は溝部の底面が広がる方向に傾いている請求項１に記載した表示装置。
【請求項７】
前記溝部の底面からの立ち上がる壁面のうち少なくとも１個の壁面は該壁面の上面近傍に突起部を有する請求項１に記載した表示装置。
【発明の詳細な説明】
【技術分野】
【０００１】
本発明の実施形態は、表示装置の本体をスタンドによって支持する表示装置に関する。
【背景技術】
【０００２】
近年、液晶表示パネルやＰＤＰ（Plasma Display Panel）などの表示パネルを用いた表示装置の画面の大型化が進展し、４０型（有効可視領域の対角長が４０インチ）以上の薄型テレビ等の表示装置も多数商品化されている。薄型テレビの外形は、画面のアスペクト比が１６：９の横長で矩形の平板であり、この平板が設置面に対して垂直に支持されるため、地震や外から作用する力に対して不安定である。
【０００３】
薄型テレビのような表示装置は、据置きスタンドあるいは卓上スタンドと呼ばれる表示装置の本体を支持するスタンドに取り付けられて設置される。スタンドには、本体を固定するための支持部が備えられており、本体と支持部がネジ等により固定されている。表示装置の転倒防止のために、スタンドを設置面にネジで固定したり、あるいはスタンドをバンドで設置面に固定する方法が開示されている。
【先行技術文献】
【特許文献】
【０００４】
【特許文献１】特開２００９−１０４９０号公報
【発明の概要】
【発明が解決しようとする課題】
【０００５】
スタンドを設置面にネジで固定する方法は、確実に固定されるものの、表示装置を移動できないことや設置面にネジ穴等の損傷を残すという欠点があった。またスタンドをバンドで固定する方法では、地震等による振動によってスタンドがバンドと設置面の間を水平方向に移動して、スタンドの一部がバンドから外れ、転倒に至る危険性があった。
【０００６】
本発明の目的は、上記したような事情に鑑み成されたものであって、表示装置のスタンドをバンドで固定する場合において、確実に転倒を防止することのできる表示装置を提供することである。
【課題を解決するための手段】
【０００７】
上記目的を達成するために、実施形態によれば、表示装置は、表示パネルを有する本体と、前記本体を支持する支持部と台座部とを有するスタンドとを備え、前記台座部の設置面と接する底面の反対側の上面に溝部を有する。
【図面の簡単な説明】
【０００８】
【図１】実施形態に係る表示装置の一例を示す概観斜視図。
【図２】図１においてバンドを外した状態を示した外観斜視図。
【図３】実施形態に係るスタンドの部分を示した斜視図。
【図４】スタンドの別の例を示した斜視図。
【図５】スタンドの別の例を示した斜視図。
【図６】図４で示したスタンドの台座部と固定用のバンドの位置関係を示した断面図。
【図７】スタンドの別の例を示した斜視図。
【図８】溝部の形状を説明するためのスタンドの断面図。
【図９】溝部の形状を説明するためのスタンドの断面図。
【図１０】溝部に対するバンドの装着状態を示した断面図。
【図１１】溝部の突起の例を示した図。
【発明を実施するための形態】
【０００９】
以下実施形態について図面を参照しながら説明する。図１は、実施形態に係る表示装置の一例を示す概観斜視図である。表示装置１は、デジタル放送を受信し、受信した放送番組の記録および再生が可能であって、画面に放送番組の映像を表示するデジタルテレビ等の表示装置である。
【００１０】
表示装置１は、本体２と、本体２を支持するスタンド３を備えている。スタンド３は、台座部７と本体２を固定するための支持部８から構成されており、本体２と支持部８がネジ等により固定されている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。表示パネル４が露出している面を表示装置１の前面とし、反対側の面を背面とする。
【００１１】
本体２は、本体２の前面側と上面、底面、両側側面の一部を覆う前面カバー５と、本体２の背面側と上面、底面、両側側面の一部を覆う背面カバー６とによって外面が囲まれている。
【００１２】
表示装置１は、設置台１２の設置面１３の上に設置されている。台座部７の設置面１３と接する底面９の反対側の上面１０に溝部１１ａ、１１ｂが設けられている。台座部７は、固定用のバンド１４ａ、１４ｂにより、設置面１３の上に固定されている。バンド１４ａ、１４ｂは、溝部１１ａ、１１ｂに入り込んでいる。
【００１３】
バンド１４ａ、１４ｂが、溝部１１ａ、１１ｂに入り込んでいるため、地震等による振動が設置台１２に加えられても、表示装置１は設置面１３の上を移動することはない。従って確実に表示装置の転倒を防止することができる。
【００１４】
図２は、図１においてバンドを外した状態を示した外観斜視図である。図３は、スタンド３の部分を示した斜視図である。台座部７は、外形が略矩形の平板状であり、略中央に本体２を支持する支持部８を備えている。図２、図３においては、台座部７の外形が略矩形であるが、円形や楕円形、多角形でも構わない。また、図２、図３においては、台座部７は平板状であるが、外周部と中央部の厚さが異なっていてもよい。例えば、支持部８の近辺が厚くなった蒲鉾状や或いは円錐、四角錐状の形状であってもよい。
【００１５】
溝部１１ａ、１１ｂは、台座部７の設置面１３と接する底面９の反対側の上面１０に設けられている。図２、図３に示した例では、溝部１１ａ、１１ｂは、表示装置１の前後方向に沿った方向に設けられている。また、本体２の中央下部に位置する支持部８を挟んで２個の略直線状の溝部１１ａ、１１ｂが設けられている。直線状にすることにより固定用のバンドを溝部に入れ込み易くなり、固定状態が安定する。図３においては、溝部１１ａ、１１ｂは支持部８を挟んで両側に１個ずつであるが、例えば、支持部を挟んで両側に２個ずつ、あるいは３個以上設けても構わない。
【００１６】
以上のように、表示パネル４を有する本体２と、本体２を支持する支持部８と台座部７とを有するスタンド３とを備え、台座部７の設置面と接する底面９の反対側の上面１０に固定用のバンド１４を位置決めする溝部１１を備えることによって、表示装置１のスタンド３を固定用のバンドで固定することによって確実に表示装置１の転倒を防止することができる。
【００１７】
図４は、スタンドの別の例を示した斜視図である。スタンド１５は、台座部１６と支持部１７を備えている。台座部１６は、外形が略矩形の平板状であり、略中央に本体２を支持する支持部１７を備えている。台座部１６の設置面と接する底面１８の反対側の上面１９側に溝部２０ａ、２０ｂ、２１ａ、２１ｂが設けられている。
【００１８】
図４に示した例では、溝部２０ａ、２０ｂは、表示装置１の前後方向に沿った方向に設けられている。溝部２１ａ、２１ｂは、表示装置１の左右方向に沿った方向に設けられている。支持部１７を挟んで２個の略直線状の溝部２０ａ、２０ｂが設けられ、また、支持部１７を挟んで２個の略直線状の溝部２１ａ、２１ｂが設けられている。図４においては、溝部は支持部を挟んで両側に１個ずつであるが、例えば、支持部を挟んで両側に２個ずつ、あるいは３個以上設けても構わない。
【００１９】
前後方向の溝部２０ａ、２０ｂと左右方向の溝部２１ａ、２１ｂを備えることにより、これらの溝部に固定用のバンドを入れて固定するときの自由度が増す。例えば、固定用のバンドが２個の場合に、溝部２０ａと２０ｂを使う場合、溝部２１ａと２１ｂを使う場合や溝部２０ａと２１ａを使う場合が考えられる。また、前後方向、左右方向を、例えば、４個の固定用のバンドで固定することにより強固な固定状態とすることができる。
【００２０】
図４においては、前後方向の溝部の深さＤ１と左右方向の溝部の深さＤ２は、同じであるが、Ｄ１とＤ２を異なるようにしてもよい。例えば、固定用のバンドの厚さをＴｂとしたときＤ１とＤ２の差がＴｂ以上であれば、前後方向、左右方向を固定用のバンドで固定するときに其々の固定用のバンドが交差する部分で固定用のバンド同士の接触を防止することができる。
【００２１】
図５は、スタンドの別の例を示した斜視図である。スタンド２２は、台座部２３ａ、２３ｂと支持部２４を備えている。支持部２４を略中心として、台座部２３ａ、２３ｂによって形成される扇形の中心角は角度Ａである。台座部２３ａ、２３ｂの設置面と接する底面２５ａ、２５ｂの反対側の上面２６ａ、２６ｂ側に段差部２７ａ、２７ｂが設けられている。
【００２２】
図６は、図５で示したスタンド２２の台座部２３ａと固定用のバンド２９の位置関係を示した断面図である。段差部２７ａのひとつに固定用のバンド２９が段差部２７の斜面に沿って配置される。固定用のバンド２９は段差部の間の略垂直な壁面２８ａによって位置決めされるため、安定した固定状態となる。
【００２３】
図７は、スタンドの別の例を示した斜視図である。スタンド３０は、台座部３１と支持部３２を備えている。台座部３１は、外形が略矩形の平板状であり、略中央に本体２を支持する支持部３２を備えている。台座部３１の設置面と接する底面３３の反対側の上面３４側に溝部３５が設けられている。
【００２４】
図７に示した例では、溝部３５は、表示装置１の前後方向に沿った方向に設けられている。溝部３５は支持部３２の略真下を通過している。支持部３２の下に通過孔部３６が設けられている。固定用のバンド１個で表示装置１を固定する場合には、表示装置１の重心を通る鉛直線と台座部３１が交差する近辺が望ましい。支持部３２の位置は本体２の質量を全て受け止めている部分であり、溝部３５を支持部３２の略真下を通過させることによって、固定用のバンド１個で表示装置１を固定することが可能である。尚、溝部３５は、支持部３２の略真下を通過していれば、左右方向に沿っていてもよい。
【００２５】
図８は、溝部の形状を説明するためのスタンドの断面図である。スタンド３７は、台座部３８と支持部３９を備えている。台座部３８は、略中央に本体２を支持する支持部３９を備えている。台座部３８の設置面と接する底面４０の反対側の上面４１側に溝部４２ａ、４２ｂが設けられている。溝部４２ａ、４２ｂには固定用のバンド４４ａ、４４ｂが配設されている。
【００２６】
溝部４２ａ、４２ｂの底面４３ａ、４３ｂは、台座部３８の底面４０に平行であることが望ましい。少なくとも溝部の底面の幅方向については底面４０に平行であることが望ましい。底面４３ａ、４３ｂの幅方向が底面４０に平行であると、固定用のバンドの幅方向に均一に固定する際の張力が作用するため、固定用のバンドの位置が安定し固定状態が安定する。
【００２７】
溝部４２ａ、４２ｂの底面４３ａ、４３ｂから台座部３８の上面４１までの深さＤ３は固定用のバンドの厚さより大きいことが望ましい。この場合には固定用のバンドの厚さよりも底面４３ａ、４３ｂからの立ち上がりの側壁の高さが大きいため、固定用のバンドが外れることがない。また深さＤ３は５ｍｍ以上あることが望ましい。
【００２８】
図９は、溝部の形状を説明するためのスタンドの断面図である。スタンド４５は、台座部４６と支持部４７を備えている。台座部４６は、略中央に本体２を支持する支持部４７を備えている。台座部４６の設置面と接する底面４８の反対側の上面４９側に溝部５０ａ、５０ｂが設けられている。溝部５０ａ、５０ｂには固定用のバンドが配設される。
【００２９】
溝部５０ａ、５０ｂの底面５１ａ、５１ｂから立ち上がる溝部壁面のうち台座部４６の外周方向の溝部壁面５２ａ、５２ｂは溝部の底面が広がる方向に楔状に傾いている。従って溝部５０ａ、５０ｂの底面５１ａ、５１ｂの幅Ｗ３が上面４９における幅Ｗ２よりも大きい。このようにすることによって、例えば、固定用のバンドの幅がＷ２よりも大きい固定用のバンドの場合には、固定用のバンドの幅方向の一端を溝部壁面５２ａ、５２ｂで形成される楔状の部分に潜り込ませることによって、固定用のバンドを位置決めすることができる。その状態を図１０に示す。
【００３０】
図１０は、溝部に対するバンドの装着状態を示した断面図である。固定用のバンド５３の幅が上面４９における幅Ｗ２よりも大きい場合であっても、固定用のバンドの幅方向の一端５４を溝部壁面５２ａで形成される楔状の部分に潜り込ませることによって、固定用のバンド５３をこの楔状の部分から外れないようにすることができる。
【００３１】
図１１は、溝部の突起の例を示した図である。溝部５０ａの底面５１ａから立ち上がる溝部壁面のうち台座部４６の外周方向の溝部壁面５５の上部に突起５６を設ける。この突起５５は、固定用のバンド５３の幅が上面４９における幅Ｗ２よりも大きい場合、固定用のバンドの幅方向の一端５４を突起５６の下に潜り込ませることによって、固定用のバンド５３をこの突起５６から外れないようにすることができる。
【００３２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００３３】
１  表示装置
２  本体
３  スタンド
７  台座部
８  支持部
９  底面
１０  上面
１１  溝部
１２  設置台
１３  設置面
１４  バンド
１５  スタンド
１６  台座部
１７  支持部
１８  底面
１９  上面
２０  溝部
２１  溝部
２２  スタンド
２３  台座部
２４  支持部
２５  底面
２６  上面
２７  段差部
２８  壁面
２９  バンド
３０  スタンド
３１  台座部
３２  支持部
３３  底面
３４  上面
３５  溝部
３６  通過孔部
【図１】
2012253469.tif 000003
【図２】
2012253469.tif 000004
【図３】
2012253469.tif 000005
【図４】
2012253469.tif 000006
【図５】
2012253469.tif 000007
【図６】
2012253469.tif 000008
【図７】
2012253469.tif 000009
【図８】
2012253469.tif 000010
【図９】
2012253469.tif 000011
【図１０】
2012253469.tif 000012
【図１１】
2012253469.tif 000013
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
表示パネルを有する本体と、
前記本体を支持する支持部と台座部とを有するスタンドとを備え、
前記台座部の設置面と接する底面の反対側の上面に溝部を有し、
さらに、前記溝部の底面から立ち上がる溝部壁面のうち台座部の外周方向の壁面は、前記溝部の底面が広がる方向に傾いている表示装置。
【請求項２】
表示パネルを有する本体と、
前記本体を支持する支持部と台座部とを有するスタンドとを備え、
前記台座部の設置面と接する底面の反対側の上面に溝部を有し、
さらに、前記溝部の底面からの立ち上がる壁面のうち少なくとも１個の壁面は、該壁面の上面近傍に突起部を有する表示装置。
【請求項３】
表示パネルを有する本体と、
前記本体を支持する支持部と台座部とを有するスタンドとを備え、
前記スタンドは、前記台座部の設置面と接する底面の反対側の上面に溝部を有し、前記溝部は前記支持部を挟んで前記スタンドの前後方向に沿った方向と前記スタンドの前記支持部を挟んで前記スタンドの左右方向に沿った方向にそれぞれ複数設けられている表示装置。
【請求項４】
前記スタンドの前後方向に沿った方向の前記溝部の深さと左右方向に沿った方向の前記溝部の深さが異なる請求項３に記載された表示装置。
【請求項５】
表示パネルを有する本体と、
前記本体を支持する支持部と台座部とを有するスタンドとを備え、
前記台座部は、前記支持部を略中心として扇形を形成する２個の足部を有し、前記台座部の設置面と接する底面の反対側の上面に段差部を有する表示装置。
【請求項６】
表示パネルを有する本体と、
前記本体を支持する支持部と台座部とを有するスタンドとを備え、
前記スタンドは、前記台座部の設置面と接する底面の反対側の上面に溝部を有し、前記溝部は前記支持部の略真下を通過し前記スタンドの前後方向または左右方向に沿った方向に１個設けられている表示装置。
【請求項７】
前記溝部は、前記表示装置を設置面に固定する固定用のバンドを位置決めする溝部である請求項１、２、３、４及び６のうちのいずれか１項に記載した表示装置。
【手続補正２】
【補正対象書類名】明細書
【補正対象項目名】０００７
【補正方法】変更
【補正の内容】
【０００７】
上記目的を達成するために、実施形態によれば、表示装置は、表示パネルを有する本体と、前記本体を支持する支持部と台座部とを有するスタンドとを備え、前記台座部の設置面と接する底面の反対側の上面に溝部を有し、さらに、前記溝部の底面から立ち上がる溝部壁面のうち台座部の外周方向の壁面は、前記溝部の底面が広がる方向に傾いている。